(57)【要約】    【課題】  光ディスク再生装置を縦置きにした場合、光ディスク再生装置が使用者に対してどの位置に載置されている場合でも、光ディスクの装着または取り外しを容易にする。    【解決手段】  光ピックアップユニットと光ディスクを回転支持するターンテーブルを有するメカユニットと、光ディスクを加圧するクランパと、該クランパを保持するクランパ保持部と、前記メカユニットを駆動する駆動機構部と、光ディスクを収納し、所定の再生位置に移動するローダーと、該ローダーを前後方向へ駆動するローダー駆動機構部とを備える光ディスク再生装置である。  前記ローダーは、光ディスクの下方部を保持する第１のローダー部と、該第１のローダー部に軸支され、光ディスクの上方部を保持する第２のローダー部と、該第２のローダー部を下方へ押圧するバネとを備え、前記第１のローダー部と前記第２のローダー部は、それぞれ、断面形状がコの字形状の光ディスク保持部を有する。【選択図】  図１
2006012340.tif 000002
【特許請求の範囲】
【請求項１】
光ピックアップユニットと光ディスクを回転支持するターンテーブルを有するメカユニットと、光ディスクを加圧するクランパと、該クランパを保持するクランパ保持部と、前記メカユニットを駆動する駆動機構部と、光ディスクを収納し、所定の再生位置に移動するローダーと、該ローダーを前後方向へ駆動するローダー駆動機構部とを備える光ディスク再生装置において、
前記ローダーは、光ディスクの下方部を保持する第１のローダー部と、該第１のローダー部に軸支され、光ディスクの上方部を保持する第２のローダー部と、該第２のローダー部を下方へ押圧するバネ、とを備え、
前記第１のローダー部と前記第２のローダー部は、それぞれ、断面形状がコの字形状の光ディスクの保持部を有すること
を特徴とする光ディスク再生装置。
【請求項２】
光ピックアップユニットと、光ディスクを回転支持するターンテーブルを有するメカユニットと、光ディスクを加圧するクランパと、該クランパを保持するクランパ保持部と、前記メカユニットを駆動する駆動機構部と、光ディスクを収納し、所定の再生位置に移動するローダーと、該ローダーを前後方向へ駆動するローダー駆動機構部とを備える光ディスク再生装置において、
前記ローダーは、第１のローダー部と、該第１のローダー部に軸支され回動可能とされた第２のローダー部と、該第２のローダー部を下方へ押圧する押圧手段とを備え、
前記第１のローダー部と前記第２のローダー部は、それらの間に光ディスクを介在させ、実質並行してそれぞれ対向形成されたディスク保持部を有すること
を特徴とする光ディスク再生装置。
【請求項３】
光ピックアップユニットと、光ディスクを回転支持するターンテーブルを有するメカユニットと、光ディスクを加圧するクランパと、該クランパを保持するクランパ保持部と、前記メカユニットを駆動する駆動機構部と、光ディスクを収納し、所定の再生位置に移動するローダーと、該ローダーを前後方向へ駆動するローダー駆動機構部とを備える光ディスク再生装置において、
前記ローダーは、第１のローダー部と、該第１のローダー部に軸支され回動可能とされた第２のローダー部と、該第２のローダー部を下方へ押圧する押圧手段とを備え、
前記第１のローダー部と前記第２のローダー部は、それらの間に光ディスクを介在させ、実質並行してそれぞれ対向形成され、光ディスクが摺動して移動可能な光ディスク保持部を有し、かつ前記第１のローダー部の前記光ディスク保持部に光ディスクを保持したときに、前記第２のローダーの前記光ディスク保持部は、光ディスクの高さ以上になるように前記第２のローダー部は回動可能とされること
を特徴とする光ディスク再生装置。
【請求項４】
請求項１から３のいずれかにおいて、いずれかの、もしくは双方の前記光ディスク保持部に、光ディスク側に突出し、光ディスクが接触したときに変形するばね板を設けたこと
を特徴とする光ディスク再生装置。
【請求項５】
請求項１から４のいずれかにおいて、前記第２のローダーは、その下先端に向けて内方に傾斜する傾斜面の形成された外側面部を有すること
を特徴とする光ディスク再生装置。
【発明の詳細な説明】
【技術分野】
【０００１】
本発明は、光ディスクを再生する光ディスク再生装置に関する。
【背景技術】
【０００２】
近年、ＣＤ，ＤＶＤ等の光ディスクを再生する光ディスク再生装置は、薄型化，省スペース化，インテリア性の要望から光ディスクの記録面が光ディスク再生装置の設置面に対して直角に位置するように光ディスクを保持した状態で光ディスクに記録されているデータを再生することができる縦置き及び横置き可能な光ディスク再生装置や、縦置き型専用の光ディスク再生装置が人気を博している。
【０００３】
従来の光ディスク再生装置として、特許文献１に記載された構造のものが知られている。
【０００４】
また、縦置きにして使用する従来の光ディスク再生装置として図１７に示すものが知られている。この光ディスク再生装置は、ローダーのディスク設置部上面に突起を数箇所設け、これらの突起により光ディスクを保持することによって重力による光ディスクの脱落を防止していた（例えば、特許文献２参照）。
【０００５】
【特許文献１】特開平５−２９８７９８号公報
【特許文献２】特開２００２−１９７７６６号公報
【発明の開示】
【発明が解決しようとする課題】
【０００６】
図１７は従来の光ディスク再生装置へ光ディスクを装着する場合を示す斜視図である。図１７に示す従来の光ディスク再生装置を縦置きにして使用した場合、光ディスク再生装置へ光ディスクを装着するには、先ず、ローダーを筐体の前方ヘスライドさせ、次に、ローダーのディスク設置部へ光ディスクを装着する。このとき、ディスク設置部は、光ディスクを載置する平面部が垂直を成していることから、使用者は、ディスク設置部の一側面方向から光ディスクを装着し、ディスク載置部の平面部と突起ａとの間に光ディスクを保持させる必要がある。このため、例えば、図１７に示すように、光ディスクをディスク設置部の左側面方向から装着する光ディスク再生装置が使用者の左側に載置されている場合、使用者は、光ディスクを光ディスク再生装置へ装着または取り外しをする際、使用者の位置からディスク載置部の光ディスクを装着する部分が目視できないことになる。このため、光ディスクの装着または取り外しを行うためには、ディスク載置部が見える位置まで使用者自身が光ディスク再生装置の左側へ移動して光ディスクの装着または離脱作業を行なわなければならず、この移動作業が煩わしくなる。また、ディスク載置部が見えない位置のままの状態で使用者がディスク載置部へ光ディスクを装着しようとすると、誤って光ディスクを平面部の外縁などに接触させてしまい、光ディスクの記録面が傷ついてしまうおそれがある。
【０００７】
本発明は、この課題を解決するためになされ、光ディスク再生装置を縦置きにした場合、光ディスク再生装置が使用者に対してどの位置に載置されている場合でも、光ディスクの装着または取り外しを容易にすることができる光ディスク再生装置を提供することを目的とする。
【課題を解決するための手段】
【０００８】
光ピックアップユニットと光ディスクを回転支持するターンテーブルを有するメカユニットと、光ディスクを加圧するクランパと、該クランパを保持するクランパ保持部と、前記メカユニットを駆動する駆動機構部と、光ディスクを収納し、所定の再生位置に移動するローダーと、該ローダーを前後方向へ駆動するローダー駆動機構部とを備える光ディスク再生装置において、前記ローダーは、光ディスクの下方部を保持する第１のローダー部と、該第１のローダー部に軸支され、光ディスクの上方部を保持する第２のローダー部と、該第２のローダー部を下方へ押圧するバネ、とを備え、前記第１のローダー部と前記第２のローダー部は、それぞれ、断面形状がコの字形状の光ディスクの保持部を有する光ディスク再生装置を提供する。
【０００９】
また、本発明は、光ピックアップユニットと、光ディスクを回転支持するターンテーブルを有するメカユニットと、光ディスクを加圧するクランパと、該クランパを保持するクランパ保持部と、前記メカユニットを駆動する駆動機構部と、光ディスクを収納し、所定の再生位置に移動するローダーと、該ローダーを前後方向へ駆動するローダー駆動機構部とを備える光ディスク再生装置において、前記ローダーは、第１のローダー部と、該第１のローダー部に軸支され回動可能とされた第２のローダー部と、該第２のローダー部を下方へ押圧する押圧手段とを備え、前記第１のローダー部と前記第２のローダー部は、それらの間に光ディスクを介在させ、実質並行してそれぞれ対向形成されたディスク保持部を有する光ディスク再生装置を提供する。
【発明の効果】
【００１０】
本発明によれば、光ディスク再生装置を縦置きにした場合に、光ディスク再生装置が使用者に対してどの位置に置かれているときでも光ディスクを容易に目視することができ、従って光ディスクの装着，離脱を容易に行うことができるようになる。
【００１１】
また、上記の効果に加えて、ローダーの光ディスク保持部の断面形状をコの字形状として光ディスク外周部を保持し、光ディスク保持部から突出したばね板を設けることによって光ディスクの装着，離脱を確実に行うことばかりでなく、光ディスクの装着，離脱をローダーの前面から行うことができるようになる。
【発明を実施するための最良の形態】
【００１２】
本発明の実施例は、光ピックアップユニットと、光ディスクを回転支持するターンテーブルを有するメカユニットと、光ディスクを加圧するクランパと、該クランパを保持するクランパ保持部と、前記メカユニットを駆動する駆動機構部と、光ディスクを収納し、所定の再生位置に移動するローダーと、該ローダーを前後方向へ駆動するローダー駆動機構部とを備える光ディスク再生装置であって、前記ローダーは、第１のローダー部と、該第１のローダー部に軸支され回動可能とされた第２のローダー部と、該第２のローダー部を下方へ押圧する、例えばばねなどの押圧手段とを備え、前記第１のローダー部前記第２のローダー部は、それらの間に光ディスクを介在させ、実質並行してそれぞれ対向形成され、光ディスクが摺動して移動可能な光ディスク保持部（例えば、断面形状がコの字状の溝構造部を有し、かつ前記第１のローダー部のディスク保持部に光ディスクを保持したときに、前記第２のローダーの光ディスク保持部が光ディスクの高さ以上になるように、前記第２のローダー部は回動可能とされるようにして構成される。
【００１３】
いずれかの、もしくは双方の前記光ディスク保持部に、光ディスク側に突出し、光ディスクが接触したときに変形するばね板を設けた。
【００１４】
前記第２のローダーは、その下先端に向けて内方に傾斜する傾斜面の形成された外側面部を有する。
〔実施例〕
以下、本発明の実施例を図面に基づいて説明する。
【００１５】
図１は、実施例である縦置きの光ディスク再生装置１００の概略全体構成を示す斜視図である。図１は、光ディスク３を装填した状態を示しており、ローダー２は筐体１に内蔵される。ローダー２は、光ディスク３を保持する下側のローダー部（第１のローダー部）４および上側のローダー部（第２のローダー部）５を備え、これらのローダー部は、後述するように、光ディスク呼び込み機能およびディスク保持機能を有する。上側のローダー部５は、後述するように、下側のローダー部４に軸支され回動可能とされる。各ローダー部４，５は、先端部にそれぞれ光ディスク呼び込み部６，７および光ディスク保持部８，９を備え、各光ディスク保持部８，９には、くの字形状のばね板１０，１１を備え、下側のローダー部４は、その下面部に駆動ラック部１２を備える。１３は、上側のローダー部５の回動抑えとして機能するストッパーであり、１４は開口部を示す。図２から図５は、ローダー２の詳細構成を示す。図２は、ローダー２の正面を示し、図３はローダー２の側面を含む光ディスク再生装置の主要構成部を示し、図４は図２のＡ部詳細を示し、図５は図２のＡ−Ａ断面を示す。
【００１６】
図２及び図３に示すように、ローダー２は、第１のローダー部４、第２のローダー部５及びバネ１５を備える。第１のローダー部４はＬ字状材で構成され、第１のローダー部４の上方には、水平方向に配設された軸１６を備える。第２のローダー部５の後方には、軸受け１７が形成されている。第２のローダー部５は、軸受け１７が軸１６に軸支されることにより、軸１６を回転軸として上下方向に回動する。第１のローダー部４と第２のローダー部５を連続する他の部材、例えば平面板はなく両者間は空間部とされる。第１のローダー部４には、第２のローダー部５が水平の位置より下方へ回動しないよう第２のローダー部４を保持するストッパー１３を備える。バネ１５は、第２のローダー部４を下方へ押圧する。
【００１７】
図２、及び図３に示すように、第１のローダー部４及び第２のローダー部５には、光ディスク３を介在させた状態で、並行配置に形成されたディスク保持部８，９を備える。ディスク保持部８，９は、断面がコの字を形成する溝１８，１９を備え、この溝１８，１９に光ディスク３（図１）が挿入されることにより、光ディスク３の外周を保持する。この溝１８の底面から溝１９の底面までの距離は光ディスク３（光ディスクは、外径を１２０mmとし、厚みを１．２mmとする。）の外径より大きく（例えば、内径１２４mm）、溝１８，１９の幅は光ディスク３の厚さより大きく（例えば、厚さ２．０mm）、溝１８，１９の底面から上端までの高さは、光ディスク３が上下の溝から側方へ飛び出さず、かつ再生時にリードアウトエリアの再生の障害とならない高さ（例えば、６mm）である。ディスク呼び込み部６，７は、光ディスク保持部８，９に形成された溝１８，１９が前方へ向かうに従って幅が拡大して形成された傾斜部２２，２３を有する。傾斜部２２，２３によって、光ディスク３の呼び込みを容易なものとしている。
【００１８】
ローダー駆動ラック部１２は、前後方向に歯車２４が形成され、ローダー駆動部３１が回転することにより、それに伴って回転する歯車２５によって前後方向へスライドされる。くの字状ばね板１０，１１は、板ばねから成り、ディスク保持部８，９の溝１８，１９に固定されている。このように、コの字状形状の溝１８，１９は、光ディスク保持部８，９の主要な保持機能を効果的に果す。尚、「コの字」は厳格な９０°構成を勿論含むが、９０°以上の広がり形状も含む。要は、光ディスク３を効果的に保持すれば良い。図４に示すように、くの字状ばね板１０は、上端が押圧されることにより、下方へ変形，移動し、当該押圧がなくなると元の位置へ戻る。図３に示すように、下方のくの字状ばね１０の上端から上方のくの字状ばね１１の下端までの距離は、光ディスク３の外径より小さい（例えば１１８mm）。
【００１９】
図５は、図２に示す第２のローダー部５の断面図である。第２のローダー部５は、左右側面の下端に向けて内方に傾斜する傾斜面の形成された外面部３２，３３（以下、傾斜部という。）を備える。図３に示すように、筐体１の内部には、ディスク再生部４１を備える。ディスク再生部４１は、クランパ保持部に保持されたクランパ４２，ターンテーブル４３，スピンドルモータ４４，ピックアップ駆動部４５，ピックアップ部４６から構成される。また筐体１の内部には図示しない再生駆動部，機構駆動部，クランパ駆動部及び制御部も備えられている。
【００２０】
図２に示すように、ローダー駆動部３１は、ローダー駆動ラック部１２と嵌合する歯車２５を備え、制御部の制御により歯車２５を回転させることによってローダー２を前後方向へスライドする。再生駆動部は、制御部の制御によりスピンドルモータ４４及びピックアップ駆動部４５を駆動する。また機構駆動部は、制御部の制御によりディスク再生部４１を水平方向へ駆動する。クランパ駆動部は、制御部の制御によりクランパ４２を水平方向へ駆動する。ターンテーブル４３及びクランパ４２は、再生駆動部及びクランパ駆動部の駆動によって筐体１の内部に搬送された光ディスク３を挟持する。ターンテーブル４３は、スピンドルモータ４４が回転することによって光ディスク３を回転させる。ピックアップ部４６は、ピックアップ駆動部４５により光ディスク３の径方向ヘスライドし、光ディスク３に記録されているデータを読み取る。ピックアップ駆動部４６によって読み取られたデータは図示しないデータ再生回路によって再生される。
【００２１】
図６から図９は、ローダー２の側面方向から光ディスク３をローダー２へ保持させる様子を示す図で、図６及び図７は第１のローダー部４のディスク保持部８へ光ディスク３の下方部を挿入した状態を示す側面図及び断面図、図８及び図９は、図６の状態から光ディスク３の上方部を第２のローダー部５の傾斜部３２または３３を押圧した状態を示す側面図及び断面図である。図１０及び図１１は図８の状態から更に光ディスク３を第２のローダー部５の傾斜部３２，３３へ押圧した状態を示す側面図及び断面図である。
【００２２】
ローダー２の側面方向から光ディスク３をローダー２へ保持させる場合は、図６及び図７に示すように、先ず、光ディスク３の下方部を第１のローダー部４のディスク保持部８の溝１８へ挿入し、光ディスク３の上方部を第２のローダー部５の傾斜部３２，３３の側壁へ当接させた後、光ディスク３の上方部を傾斜部３２，３３の方向へ押圧する。すると、図８及び図９に示すように、第２のローダー部５は、光ディスク３の上方部が傾斜部３２，３３を押圧する力によって、軸１６を軸に上方へ回動する。この状態から更に光ディスク３の上方部を傾斜部３２，３３へ押圧すると、図１０及び図１１に示すように、光ディスク３の上端が第２のローダー部５のディスク保持部９の溝１９へ挿入され、第２のローダー部５は、バネの押圧力によって元の位置へ回動する。
【００２３】
第１のローダー部４の光ディスク保持部８に光ディスク３を保持したときに、第２のローダー部５の光ディスク保持部９は、光ディスク３の高さよりわずかに高くなる位置まで回動する。すなわち、このような位置までの回動を許容するように第２のローダー部５は回動する。
【００２４】
これにより、光ディスク３の下方部と上方部はそれぞれ第１のローダー部４と第２のローダー部５のディスク保持部８，９の溝１８，１９へ挿入された状態となり、光ディスク３はローダー２に保持される。
【００２５】
図１２，図１３は、本実施例の光ディスク再生装置によって光ディスク３に記録されたデータを再生する状態を示す図で、図１２は側方断面図、図１３は前方断面図である。
【００２６】
制御部の制御により、光ディスク３を保持したローダー２が筐体１の内部へ搬送されると、図１３に示すように、クランパ駆動部及び機構駆動部によってクランパ４２及びディスク再生部４１が水平方向へ移動し、光ディスク３の中心孔を挟持する。クランパ４２及びターンテーブル４３が光ディスク３を挟持した状態のとき、光ディスク３の外周部は、ディスク保持部８，９及びくの字状ばね１０，１１に接触しない。ターンテーブル４３は、スピンドルモータ４４の回転によって回転し、ピックアップ部４６は、ピックアップ駆動部４５により光ディスク３の径方向ヘスライドし、光ディスク３に記録されているデータを読み取る。ピックアップ部４６によって読み取られたデータは図示しないデータ再生回路によって再生される。
【００２７】
光ディスク再生装置から光ディスク３を取り出す場合は、前述した順序と反対に、機構駆動部及びクランパ駆動部がターンテーブル４３及びクランパ４２を元の位置へ水平移動させ、次に、ローダー駆動部２５がローダー２を前方ヘスライドさせることによって光ディスク３を保持したローダー２が筐体１の前方へ突出する。この状態から光ディスク３を前方へ引っ張ることにより、くの字状ばね板１０，１１が弾性変形し、ローダー２のディスク保持部８，９に保持された光ディスク３を取り出すことができる。
【００２８】
光ディスク３を前方正面より装填する場合について、図１４を用いて説明する。図１４（ａ），図１４（ｂ），図１４（ｃ）は各ステップを示し、図１５は図１４（ａ）のＢ部詳細を示し、図１６は図１４（ｂ）のＣ部詳細を示す。尚、図１４（ａ）、図１４（ｂ）は正面および側面部からなる。
【００２９】
まず、図１４（ａ）において、ディスク３をディスク呼び込み部６，７に位置させる。この時に、第２のローダー部５の回動機能によるわずかな回動は、この呼び込みを円滑なものとする。次に、矢印方向に、ディスク３を移動させると、ディスク３の外周は、断面形状がコの字形のディスク保持部１８，１９に導かれ摺動する。この時、ディスク保持部１８，１９は、ディスク３の、リードアウト領域より外側を保持する寸法設定となっている為、ディスク３のデータ書込み領域に外傷を与えることは無い。更にディスク３を押し込むと、ディスク３の外周は、くの字状ばね板１０，１１に突き当たる。この時、くの字状ばね板１０，１１は、弾性を有するため、図１５に示すように、支点αを中心として、矢印方向に変形する。更にディスク３を押し込むと、図１４（ｂ）に示すように、くの字状ばね板１０，１１は、更に変形し、図１５に示す頂点Ｂを通過し、図１４（ｃ）に示す状態となる。この状態において、ディスク保持部１８，１９は、光ディスク３の半径及びディスク面方向に垂直な方向に、ターンテーブル４３及びクランパ４２が光ディスク３をチャッキングし回転させた時に必要な、数mm程度の隙間を有しているが、ディスク３の外周は、ディスク保持部１８，１９と、くの字状ばね板１０，１１にて、保持されているため、ローダーから脱落することはない。図１４（ｃ）の状態に達した状態から光ディスク３を取り外す際には、挿入時と逆向きにディスク３を前方へ引き出せば良い。
【００３０】
以上の構成により、本実施例の光ディスク再生装置は、図１４に示すように、ローダー２のディスク呼び込み部６，７へ光ディスク３を挿入することによって、ローダー２へ光ディスク３を容易に保持させることができ、また、ローダー駆動部３１によって前方へ突出したローダー２から光ディスク３を容易に取り出すことができる。
【００３１】
また、本実施例の光ディスク再生装置は、図６〜図１１に示すように、光ディスク３の下方部を第１のローダー部４のディスク保持部８の溝１８へ挿入し、光ディスク３の上方部を第２のローダー部５の方向へ押圧することによって、光ディスク３をローダー２へ容易に保持させることができる。
【００３２】
ディスク呼び込み部６，７は、光ディスク再生装置の前方のどの位置からも目視することができるので、光ディスク再生装置が使用者の右側または左側のどちらに載置されている場合でも、使用者の位置から光ディスク３を挿入するディスク呼び込み部６，７を認識することができる。このことにより、従来の光ディスク再生装置のように、光ディスクの装着または離脱を行う際に、ディスク載置部が見える位置まで使用者が移動して光ディスクの装着または離脱作業を行なう必要がなく、また、ディスク載置部が使用者から見えないままの状態でディスク載置部へ光ディスクを装着しようとし、誤って光ディスクの記録面をローダー２に接触させてしまい、光ディスクの記録面が傷ついてしまうことを防止することができる。
【００３３】
また、光ディスク３をローダー２の側面方向から容易に保持させることができるので、光ディスク再生装置が使用者の右側または左側のどちらに載置されている場合でも、使用者の位置から光ディスク３を容易にローダー２へ保持させることができる。
【００３４】
本実施例の光ディスク再生装置は、第２のローダー部５の左右側面に傾斜部３２，３３を備える構成としたが、ディスク保持部８，９の溝１８，１９の内壁部分にも傾斜部を備える構成としても良い。このことにより、光ディスク３がローダー２に保持された状態から光ディスク３の上方を側面方向へ引き出すことにより、図８及び図９に示した状態と同様に、光ディスク３の上端がディスク保持部９の内壁に備えた傾斜部を押圧する力によって第２のローダー部５が軸１６を軸として上方へ回動し、光ディスク３をローダー２の側面方向から離脱させることができる。これにより、ローダー２に保持された光ディスク３をローダー２の側面方向へ容易に離脱させることができる。
【００３５】
本実施例のように、ローダー２のディスク保持部８，９の断面形状をコの字形としてディスク外周部を保持し、ローダー２から突出した、ばね性を持つ、くの字状ばね板１０，１１を設けることにより、ディスク装填をローダー前面から行うことができ、かつ光ディスク再生装置が使用者に対してどの位置に載置されている場合でも光ディスクの装着または離脱を容易にすることができる光ディスク再生装置を提供することができる。
【図面の簡単な説明】
【００３６】
【図１】本発明の一実施例である光ディスク再生装置の斜視図。
【図２】ローダーの詳細を示す正面図。
【図３】図２の側面図で、光ディスク再生装置の主要部を示す図。
【図４】図２のＡ部詳細図。
【図５】図２のＡ−Ａ断面図。
【図６】使用例１のステップ１を示す図。
【図７】図６の側面図。
【図８】使用例１のステップ２を示す図。
【図９】図８の側面図。
【図１０】使用例１のステップ３を示す図。
【図１１】図１０の側面図。
【図１２】光ディスクに記録されたデータを再生する状態を示す図で側方側面図。
【図１３】図１２の前方断面図。
【図１４】使用例２のステップを示す図。
【図１５】図１４（ａ）のＢ部詳細図。
【図１６】図１４（ｂ）のＣ部詳細図。
【図１７】従来の光ディスク再生装置の概略を示す斜視図。
【符号の説明】
【００３７】
１…筐体、２…ローダー、３…光ディスク、４…下側のローダー部（第１のローダー部）、５…上側のローダー部（第２のローダー部）、６，７…光ディスク呼び込み部、８，９…光ディスク保持部、１０，１１…ばね板、１２…駆動ラック部、１３…ストッパー、１４…Ｌ開口部、１５…バネ、１６…軸、１７…軸受け、１８，１９…溝、２２，２３…傾斜部、３１…ローダー駆動部、３２，３３…傾斜した外面部（傾斜部）、４１…ディスク再生部、４２…クランパ、４３…ターンテーブル、４４…スピンドルモータ、４５…ピックアップ駆動部、４６…ピックアップ部。
【図１】
2006012340.tif 000003
【図２】
2006012340.tif 000004
【図３】
2006012340.tif 000005
【図４】
2006012340.tif 000006
【図５】
2006012340.tif 000007
【図６】
2006012340.tif 000008
【図７】
2006012340.tif 000009
【図８】
2006012340.tif 000010
【図９】
2006012340.tif 000011
【図１０】
2006012340.tif 000012
【図１１】
2006012340.tif 000013
【図１２】
2006012340.tif 000014
【図１３】
2006012340.tif 000015
【図１４】
2006012340.tif 000016
【図１５】
2006012340.tif 000017
【図１６】
2006012340.tif 000018
【図１７】
2006012340.tif 000019